(57)【特許請求の範囲】
【請求項１】
吊り下げ具を備えるとともに該吊り下げ具を作業者側の掛止具に組付けることで電動工具本体を吊り下げ可能に構成された電動工具であって、
前記吊り下げ具は、環状を成す平板状の環状部を備え、
前記平板状の環状部には、前記掛止具との組付け方向に凹む窪み部が、該環状体の内縁から外縁に亘って凹設されたことを特徴とする電動工具。
【請求項２】
請求項１に記載の電動工具において、
前記窪み部は、２つ以上設けられたことを特徴とする電動工具。
【請求項３】
請求項２に記載の電動工具において、
前記窪み部は、前記環状部の環状中心を通る直線上に２つ設けられたことを特徴とする電動工具。
【請求項４】
請求項３に記載の電動工具において、
前記環状部は、一方向に長い矩形環状を成し、
前記窪み部は、前記環状部の長手方向に延びる直線上に２つ設けられたことを特徴とする電動工具。
【請求項５】
請求項１〜４のいずれか一項に記載の電動工具において、
前記窪み部は、前記電動工具本体を側方視したときに、前記吊り下げ具自身における窪み部から前記電動工具本体までの間の露出部分と重ならない位置に形成されたことを特徴とする電動工具。
【請求項６】
請求項１〜５のいずれか一項に記載の電動工具において、
前記吊り下げ具は、前記電動工具本体の側方に設けられ、
前記窪み部は、前記電動工具本体を側方視したときに該電動工具本体と重ならない位置に形成されたことを特徴とする電動工具。
【請求項７】
請求項１〜６のいずれか一項に記載の電動工具において、
前記吊り下げ具は、前記電動工具本体に対して着脱可能、且つ、前記電動工具本体の左右の両側面に形成される固定部のいずれにも固定可能に構成されたことを特徴とする電動工具。
【請求項８】
電動工具本体に設けられるとともに作業者側の掛止具に組付けることで電動工具本体を吊り下げ可能な電動工具用吊り下げ具であって、
前記掛止具と装着可能な環状をなす平板状の環状部を備え、
前記平板状の環状部には、前記掛止具との組付け方向に凹む窪み部が、該環状体の内縁から外縁に亘って凹設されたことを特徴とする電動工具用吊り下げ具。
【発明の詳細な説明】
【技術分野】
【０００１】
本発明は、電動工具及び電動工具用吊り下げ具に関するものである。
【背景技術】
【０００２】
従来、電動工具では、作業者が電動工具を使用しない際には、利便性の面から作業者の腰ベルト等に取り付けて電動工具本体を吊り下げるための吊り下げ具（取り付けフック）が備えられたものが開発されている（例えば特許文献１参照）。
【０００３】
特許文献１の電動工具では、使用者が把持可能なグリップ部にねじ等で着脱可能な取り付けフックが備えられている。この取り付けフックはグリップ部の長手方向（電動工具本体の上下方向）に湾曲される略Ｕ字状を成すよう形成されるとともに、そのＵ字状の取り付けフックを例えば作業者の腰ベルト等に引っ掛けて掛止させることが可能とされている。このため、作業者は電動工具を使用しない際には、作業者の腰ベルトに電動工具を引っ掛けることができるため、空いた両手でその他の作業を実施することが可能となっている。
【０００４】
また、特許文献１の電動工具に備えられる取り付けフックは、作業者の腰近傍に設けられる開閉可能なゲートを有するカラビナ等の掛止具を装着可能なように環状形状となるように形成されている。このため、そのカラビナを作業者が身につけた状態で前記取り付けフックを前記カラビナに装着することでより確実に電動工具の脱落（落下）を抑えることができるようになっている。
【先行技術文献】
【特許文献】
【０００５】
【特許文献１】特開２００９−７８３２２号公報
【発明の概要】
【発明が解決しようとする課題】
【０００６】
ところで、上記のような電動工具に備えられる取り付けフックでは、作業者の腰ベルトに掛止するほか、作業者の腰等に設けられる一部が開閉可能な環状のカラビナ（掛止具）に対して装着することがある。しかし、カラビナと取り付けフックとを装着する際に、カラビナと取り付けフックとが相対的に滑ってしまい容易に組付けを行うことが難しかった。
【０００７】
本発明は、上記課題を解決するためになされたものであって、その目的は、作業者側の掛止具と容易に組付け可能な吊り下げ具を備えた電動工具及び電動工具用吊り下げ具を提供することにある。
【課題を解決するための手段】
【０００８】
上記課題を解決するために、本発明の電動工具は、吊り下げ具を備えるとともに該吊り下げ具を掛止具に組付けることで電動工具本体を吊り下げ可能に構成された電動工具であって、前記吊り下げ具は、環状を成す平板状の環状部を備え、前記平板状の環状部には、前記掛止具との組付け方向に凹む窪み部が、該環状体の内縁から外縁に亘って凹設されたこと特徴とする。
【０００９】
また上記構成において、窪み部は、２つ以上設けることが好ましい。
また上記構成において、窪み部は環状部の環状中心を通る直線上に２つ設けることが好ましい。
【００１０】
また上記構成において、環状部は一方向に長い矩形環状を成し、窪み部は環状部の長手方向に延びる直線上に２つ設けられることが好ましい。
また上記構成において、窪み部は、電動工具本体を側方視したときに、吊り下げ具自身における窪み部から電動工具本体までの間の露出部分と重ならない位置に形成されることが好ましい。
【００１１】
また上記構成において、吊り下げ具は電動工具本体の側方に設けられるとともに、窪み部は電動工具本体を側方視したときに重ならない位置に形成されることが好ましい。
また上記構成において、吊り下げ具は、電動工具本体に対して着脱可能、且つ、電動工具本体の左右の両側面に形成される固定部のいずれにも固定可能に構成されることが好ましい。
【００１２】
本発明の電動工具用吊り下げ具は、作業者側の掛止具と装着可能な環状をなす平板状の環状部を備え、この平板状の環状部には、前記掛止具との組付け方向に凹む窪み部が、該環状体の内縁から外縁に亘って凹設されたことを特徴とする。
【発明の効果】
【００１３】
本発明によれば、作業者側の掛止具を容易に取り付け可能な吊り下げ具を備えた電動工具及び電動工具用吊り下げ具を提供することができる。
【図面の簡単な説明】
【００１４】
【図１】本実施形態における電動工具の側面図である。
【図２】電動工具本体と取り付けフックの固定方法について説明するための斜視図である。
【図３】電動工具の背面側斜視図である。
【図４】（ａ）〜（ｄ）は、カラビナと取り付けフックとの組付け及び取り外し作業について説明するための断面図である。
【発明を実施するための形態】
【００１５】
以下、本発明を具体化した一実施形態を図面に従って説明する。
図１は、本実施形態の電動工具を示す。本実施形態の電動工具１０は、電動工具本体１１と、この電動工具本体１１に対して着脱可能な二次電池を内蔵した電池パック１２とを有している。
【００１６】
電動工具本体１１は、略円筒状の本体部１３とこの本体部１３の長手方向途中一から下方に延びたグリップ部１４とを有する略Ｔ字状のハウジング１５内部に、電池パック１２の二次電池によって駆動されるモータ１６ａ等の駆動部１６を有している。この駆動部１６は、出力軸１７と接続されるとともに、この出力軸１７の一部である先端が本体部１３の外側に露出されて図示しない工具（ビット）を装着可能なビット装着部１７ａが形成されている。なお、本実施形態では、ビット装着部１７ａの延出方向（出力軸１７の軸線Ｌ１方向）を前後方向、グリップ部１４の略延出方向で前記前後方向と直交した方向を上下方向、前後及び上下方向と直交する方向を左右方向として説明する。
【００１７】
電動工具本体１１のグリップ部１４は、本体部１３の長手方向である前後方向に対して傾倒した態様で略上下方向に延びるように形成されている。また、グリップ部１４には、作業者が電動工具本体１１の運転・停止を指示するためのトリガースイッチ１８が設けられている。
【００１８】
また、図２に示すように、グリップ部１４の先端側（図１において下端側）にはその底部１４ａ外縁から更に下方に延出する左右の側壁１４ｂが形成される。各側壁１４ｂには後述する吊り下げ具としての取り付けフック２０の一部を左右方向から挿入可能な固定部を構成する挿入孔１４ｃがそれぞれ形成されている。
【００１９】
図２に示すように取り付けフック２０は、グリップ部１４の挿入孔１４ｃに挿入可能な挿入締結部２１と、この挿入締結部２１と直交する方向に略Ｕ字状をなす掛止部２２と、カラビナ３０（図１参照）に装着可能な略矩形環状の環状装着部２３とを有している。
【００２０】
取り付けフック２０の挿入締結部２１は、前記グリップ部１４の挿入孔１４ｃに挿入可能な略平板状に形成されるとともに、その略中央部に挿通孔２１ａが形成される。このため、挿入孔１４ｃに前記挿入締結部２１を挿入した状態でねじ１９をグリップ部１４の底部１４ａ側から前記挿通孔２１ａに挿通させて挿入締結部２１を締結することができるようになっている。
【００２１】
掛止部２２は、前記挿入締結部２１の端部からこの挿入締結部２１の平面方向と直交する方向に２本の板状部材が延びるとともに、途中位置から逆方向（板厚方向）に折り曲げられて略Ｕ字状を成すよう形成されている。なお、前記２本の板状部材は折り曲げ方向と直交する方向（略前後方向）の中央部に、折り曲げ方向に長い所定のスリット部２２ａが形成されている。このようにスリット部２２ａが形成されていることでこの掛止部２２を例えば作業者の腰ベルトに掛着させる場合において直線Ｌ２を中心とした回転方向への捻じれを抑えることができるようになっている。
【００２２】
環状装着部２３は、掛止具としてのカラビナ３０と組付け可能な略矩形環状をなすよう形成されている。環状装着部２３は、掛止部２２から連続するとともにこの掛止部２２のスリット部２２ａの長手方向（直線Ｌ２方向）と直交する方向に延びる下辺部２３ａと、この下辺部２３ａの両端部から前記軸線Ｌ２方向に沿って延びる前方側辺部２３ｂ及び後方側辺部２３ｃと、各側辺部２３ｂ，２３ｃから連続するとともに前記下辺部２３ａと対向する上辺部２３ｄとで略矩形環状に構成されている。環状装着部２３の各側辺部２３ｂ，２３ｃには、板厚方向である電動工具本体１１の左右方向中心側に凹状をなす窪み部２４，２５が形成されている。これら２つの窪み部２４，２５は、前記直線Ｌ２方向と直交するとともに前記環状装着部２３の環状中心Ｐを通る直線Ｌ３上に形成されている。また、カラビナ３０と組付けられる環状装着部２３は電動工具本体１１にねじ１９にて固定される挿入締結部２１から前記掛止部２２とは反対方向に離間した位置に窪み部２４，２５が形成されている（図３参照）。つまり電動工具本体１１を側方視したときに、取り付けフック２０自身における窪み部２４，２５から電動工具本体１１までの間の露出部分と重ならない位置に形成されている。このため、電動工具本体１１のグリップ部１４に形成される挿入孔１４ｃから一部突出する挿入締結部２１の基端側とカラビナ３０との干渉を抑えることができる。これにより、カラビナ３０を窪み部２４，２５に容易に当接させて環状装着部２３にカラビナ３０を組付けることができる。
【００２３】
また、電動工具本体１１において後部側に位置する窪み部２５は、電動工具本体１１を左右方向から側方視した状態（図１の状態）において前記電動工具本体１１と重ならない位置に形成されている。このため、カラビナ３０との組み付けを容易に行うことが可能となっている。なお、カラビナ３０は、略Ｄ型環状を成し、その一部であるゲート３０ａが傾動されて開閉可能とされる。このカラビナ３０は、電動工具本体１１及び電池パック１２の重さに耐え得るものであればよい。
【００２４】
次に、上記のように構成された電動工具１０に設けられる取り付けフック２０と、作業者の腰等に装着されるカラビナ３０との組付け並びに取り外しの一例について主に図４（ａ）〜（ｄ）を用いて説明する。
【００２５】
図４（ａ）（ｂ）に示すように取り付けフック２０の環状装着部２３とカラビナ３０のゲート３０ａとを当接させて更にゲート３０ａを傾動方向（内側）へ押し込むことで、前記ゲート３０ａが傾倒（傾動）する。その後、ゲート３０ａと環状装着部２３との当接状体が解除されることで取り付けフック２０の環状装着部２３とカラビナ３０とが組付けされた状態とされる（図４（ｃ）参照）。これによって取り付けフック２０によってカラビナ３０に電動工具本体１１及び電池パック１２を吊り下げ可能とされる。また、カラビナ３０のゲート３０ａと環状装着部２３の際に窪み部２５とを当接させることで、カラビナ３０の前記直線Ｌ２方向（図１参照）への滑り（移動）を抑制させることができる。これにより、カラビナ３０と環状装着部２３（取り付けフック２０）との組付けを容易とすることができる。また、取り付けフック２０の窪み部２５が電動工具本体１１のハウジング１５及び電池パック１２と側面視において重ならない位置に設定されている。このため、カラビナ３０と取り付けフック２０とを組付けする際にハウジング１５（電動工具本体１１や電池パック１２）とカラビナ３０とが干渉することを抑制させることができる。これにより、カラビナ３０と取り付けフック２０との組付けを容易に行うことができる。
【００２６】
一方、カラビナ３０から取り付けフック２０（環状装着部２３）を取り外す際には、図４（ｄ）に示すように、組付け時と反対側の窪み部２４とカラビナ３０と当接させて押し込むことで環状装着部２３とカラビナ３０との組付け状態が解消される（図中破線参照）。このとき、組付け時同様に取り付けフック２０の窪み部２４とカラビナ３０とを当接させることで窪み部２４によってカラビナ３０が前記直線Ｌ２方向（図１参照）への滑り（移動）を抑制させることができる。このため、カラビナ３０から環状装着部２３（取り付けフック２０）を容易に取り外すことが可能となる。
【００２７】
次に、本実施形態の特徴的な作用効果を記載する。
（１）取り付けフック２０には、作業者の腰等に設けられるカラビナ３０との組付け方向である電動工具本体１１の左右方向中心側に凸状をなす窪み部２４，２５が形成されたため、そのカラビナ３０と取り付けフック２０との組付けの際には窪み部２５にカラビナ３０を当接させることでカラビナ３０が窪み部２５に嵌合されて相対的な滑りを抑えることができる。これにより、カラビナ３０と取り付けフック２０とを容易に組付けることができる。
【００２８】
（２）取り付けフック２０には２つの窪み部２４，２５を形成したため、カラビナ３０との組付け並びにカラビナ３０からの取り外しの際にいずれの窪み部２４，２５を利用することができる。これにより、利便性の向上を図ることができる。
【００２９】
（３）環状装着部２３の環状中心Ｐを通る直線Ｌ３上となる好適位置に窪み部２４，２５が形成されている。
（４）また、環状装着部２３は一方向に長い矩形環状を成し、各窪み部２４，２５は、環状部の長手方向に延びる直線Ｌ３上に２つ設けられる。このように長手方向に延びる直線Ｌ２上、つまり環状装着部２３の前方側辺部２３ｂ及び後方側辺部２３ｃに窪み部２４，２５が形成されるため、各窪み部２４，２５を極力離間させることができる。これによって一方をカラビナ３０装着のための窪み部２５として利用できる。その装着状態においてカラビナ３０のゲート３０ａを他方の窪み部２４を通すことで装着状態が解除されてカラビナ３０を取り付けフック２０から取り外すことができる。
【００３０】
（５）環状装着部２３に設けられる窪み部２４，２５はねじ１９によって固定される取り付けフック２０の挿入締結部２１の固定位置から離間した上方位置に設けられる。このため、窪み部２４，２５は電動工具本体１１を側方視したときに、取り付けフック２０自身における窪み部２４，２５から電動工具本体１１までの間の露出部分と重ならない位置に形成されることとなる。これにより、挿入締結部２１のハウジング１５から若干露出する分だけのスペースを確保することができる。このため、カラビナ３０と窪み部２４，２５とを容易に当接させることができるためカラビナ３０と環状装着部２３との組み付け並びにカラビナ３０からの取り外しを容易に行うことができる。
【００３１】
（６）吊り下げ具としての取り付けフック２０は電動工具本体１１の側方に設けられ、窪み部２４，２５の内の一方の窪み部２５は電動工具本体１１を側方視したときに重ならない位置に形成される。このような構成とすることでカラビナ３０と取り付けフック２０とを組付けする際にハウジング１５（電動工具本体１１や電池パック１２）とカラビナ３０とが干渉することを抑制させることができる。このため、カラビナ３０と取り付けフック２０（窪み部２５）との組付けを容易に行うことができる。
【００３２】
（７）取り付けフック２０は、電動工具本体１１の左側及び右側に形成される挿入孔１４ｃのいずれか一方に挿入された状態でねじ１９にて固定（締結）されているため、使用者の好みに合わせて取り付けフック２０の位置を変更することができる。
【００３３】
（８）取り付けフック２０にはカラビナ３０と装着可能な環状装着部２３の他に、作業者の腰ベルト等に引っ掛けることができる掛止部２２が設けられているため、作業者の好みに合わせた使用方法が可能となる。
【００３４】
尚、本発明の実施形態は、以下のように変更してもよい。
・上記実施形態では、カラビナ３０に装着される取り付けフック２０の環状装着部２３を環状としたが、これに限らない。例えば、掛止部２２のスリット部２２ａが環状装着部２３と連通するように環状装着部２３の下辺部２３ａの中央部を省略した構成を採用してもよい。
【００３５】
・上記実施形態では、環状装着部２３は、取り付けフック２０の掛止部２２の長手方向と直交する幅方向（電動工具本体１１の前後方向と略一致し直線Ｌ３方向）に長い形状としたが、これに限らない。
【００３６】
・上記実施形態では、取り付けフック２０の挿入締結部２１を挿入可能な挿入孔１４ｃをグリップ部１４の左右各側面に形成していずれの位置においても取り付けフック２０を固定可能な構成としたが、これに限らず、いずれか一方に固定した構成であってもよい。
【００３７】
・上記実施形態では、取り付けフック２０の環状装着部２３に窪み部２４，２５を２つ設けたがこれに限らず１つ若しくは３つ以上設ける構成を採用してもよい。
・上記実施形態では、取り付けフック２０の環状装着部２３に窪み部２４，２５の形成位置は取り付けフック２０（環状装着部２３）の任意の位置に適宜変更してもよい。
【００３８】
・上記実施形態では、例えば作業者の腰ベルト等に掛止可能な略Ｕ字状の掛止部２２とカラビナ３０に装着可能な環状装着部２３とを有する取り付けフック２０を設けたが、少なくとも環状装着部２３が設けられる構成の取り付けフック２０であればよい。
【００３９】
・上記実施形態では、取り付けフック２０をねじ１９にて電池パック１２を外した状態で着脱可能な構成としたが、電池パック１２を電動工具本体１１に装着した状態で取り付けフック２０を着脱可能な構成としてもよい。
【００４０】
・上記実施形態では、掛止部２２をその幅方向中央部に掛止部２２の長手方向に延びるスリット部２２ａを形成したが、このスリット部２２ａを省略した構成を採用してもよい。
【００４１】
・上記実施形態では、電動工具本体１１に電池パック１２を備えた所謂充電式の可搬式電動工具としたが、例えば商用電源等の外部電源から電力が供給されるコード有りタイプの電動工具としてもよい。
【符号の説明】
【００４２】
１０…電動工具、１１…電動工具本体、２０…取り付けフック（吊り下げ具）、２３…環状装着部（環状部）、２４，２５…窪み部、３０…カラビナ（掛止具）、Ｐ…環状中心、Ｌ３…直線。
【図１】
0005416649.tif 000002
【図２】
0005416649.tif 000003
【図３】
0005416649.tif 000004
【図４】
0005416649.tif 000005